(57)【要約】【課題】コンパクトに収納（分解）でき、かつ容易に組み立てることができる装飾品を提供する。【解決手段】略垂直方向に配置される棒状部材２０と、固定部３５を有し、棒状部材の下端部側の所定の位置に固定部により固定されることで棒状部材を取り囲むよう配置される、少なくとも１つの略環状の環状部材３０と、棒状部材の上部と、環状部材とを連結する、３つ以上の連結部材６０ａ〜６０ｆをと具備し、組み上げられた際に、少なくとも所定の方向から見ると、全体としての外形が略錐体状に見える装飾品であって、連結部材６０ａ〜６０ｆが弾力性を有する部材で構成されている。【選択図】図１
2020115935.tif 000002
【特許請求の範囲】
【請求項１】
略垂直方向に配置される棒状部材と、
固定部を有し、前記棒状部材の所定の位置に前記固定部により固定されることで前記棒状部材を取り囲むように配置される、少なくとも１つの略環状の環状部材と、
前記棒状部材の上部と、前記環状部材とを連結する、少なくとも３つの連結部材とを具備し、
組み上げられた際に、少なくとも所定の方向から見ると、全体としての外形が略錐体状に見える装飾品であって、
前記連結部材が弾力性を有する部材で構成されていることを特徴とする装飾品。
【請求項２】
前記棒状部材が、軸方向に伸縮可能な部材、軸方向に分割可能な部材または軸方向に折り曲げ可能な部材で構成されていることを特徴とする請求項１に記載の装飾品。
【請求項３】
前記環状部材または前記連結部材の少なくとも一部に、装飾部材が取り付けられていることを特徴とする請求項１または２に記載の装飾品。
【請求項４】
前記環状部材が環状で、組み上げられた際に、水平方向に配置され、
前記装飾品の全体としての外形が三角錐状に見えることを特徴とする請求項１〜３の何れか１項に記載の装飾品。
【請求項５】
前記連結部材の長さが、収納時にほぼ弛まない長さであることを特徴とする請求項１〜４の何れか１項に記載の装飾品。
【請求項６】
前記部材がバネであることを特徴とする請求項１〜５の何れか１項に記載の装飾品。
【請求項７】
複数の装飾が取り付けられた装飾部を、当該装飾が所定の間隔で配置されるように、前記バネに取り付けることを特徴とする請求項６に記載の装飾品。
【発明の詳細な説明】
【技術分野】
【０００１】
本発明は、装飾品に関し、特にクリスマス等のイベントの際に設置されるツリー型装飾品に関する。
【背景技術】
【０００２】
従来のクリスマス等のイベントの際に設置されるツリー型装飾品の骨組みは、金属またはプラスチックで形成された棒状や環状の部材で構成されている。
【０００３】
そのようなツリー型装飾品としては、例えば、基体上に立設された支柱と、前記支柱に多段に配置され、全体としての外形が略錐体形に配置される複数の床部材と、前記各床部材に、当該床部材への入口を備え、少なくとも一部が透光性を有する部材で装置の外面が形成されることを特徴とするツリー型装飾装置が提案されている（特許文献１参照）。
【先行技術文献】
【特許文献】
【０００４】
【特許文献１】特開２０１１―１０３９７５号公報
【発明の概要】
【発明が解決しようとする課題】
【０００５】
しかしながら、上述したような装飾品の骨組みは、金属またはプラスチックで形成された棒状や環状の部材で構成されているため、そのままの形状で収納すると、ある程度の収納スペースが必要となる問題点があった。
【０００６】
また、装飾品の骨組みを分解して収納しようとしても、金属またはプラスチックで形成された棒状や環状の部材で構成されていることから、コンパクトに収納することができないという問題点があった。さらに、装飾品の骨組みにひも状部材が使われている場合には、装飾品を分解して収納する際に、ひも状部材を取り外さないと、ひも状部材同士が絡まったり、ひも状部材と他の部材（棒状部材や環状部材等）とが絡まったりして、装飾品を容易に分解したり、組み立てることができないという問題点があった。
【０００７】
本発明は上述した事情に鑑み、コンパクトに収納（分解）でき、かつ容易に組み立てることができる装飾品を提供することを目的とする。
【課題を解決するための手段】
【０００８】
本発明の発明者は、上述した問題点に関して鋭意研究・開発を続けた結果、以下のような画期的な装飾品を見出した。
【０００９】
上記課題を解決するための本発明の第１の態様は、略垂直方向に配置される棒状部材と、固定部を有し、棒状部材の所定の位置に固定部により固定されることで棒状部材を取り囲むように配置される、少なくとも１つの略環状の環状部材と、棒状部材の上部と、環状部材とを連結する、少なくとも３つの連結部材とを具備し、組み上げられた際に、少なくとも所定の方向から見ると、全体としての外形が略錐体状に見える装飾品であって、連結部材が弾力性を有する部材で構成されていることを特徴とする装飾品にある。
【００１０】
ここで、「略垂直方向」とは、垂直（鉛直）方向だけでなく、水平方向に対して直角（９０度）よりも小さい角度（例えば８５度や８０度等）を成す方向を含む概念である。
【００１１】
また、「略環状」とは、環状だけでなく、円弧状等の環状に近い形状を含む概念である。
【００１２】
さらに、「略錐体」とは、三角錐、四角錐、五角錐、六角錐や円錐等のような形状だけでなく、それに近い形状を含む概念である。
【００１３】
かかる第１の態様では、コンパクトに収納（分解）でき、かつ容易に組み立てることができる装飾品を提供することができる。
【００１４】
本発明の第２の態様は、棒状部材が、軸方向に伸縮可能な部材、軸方向に分割可能な部材または軸方向に折り曲げ可能な部材で構成されていることを特徴とする第１の態様に記載の装飾品にある。
【００１５】
かかる第２の態様では、よりコンパクトに収納（分解）でき、かつ容易に組み立てることができる装飾品を提供することができる。
【００１６】
本発明の第３の態様は、環状部材または連結部材の少なくとも一部に、装飾部材が取り付けられていることを特徴とする請求項１または２に記載の装飾品にある。
【００１７】
かかる第３の態様では、装飾品の美観を向上させることができる。
【００１８】
本発明の第４の態様は、環状部材が環状で、組み上げられた際に、水平方向に配置され、装飾品の全体としての外形が三角錐状に見えることを特徴とする第１〜第３の態様の何れか１つに記載の装飾品にある。
【００１９】
かかる第４の態様では、組み上げた際に、側面から見ると外形がツリー状に見える装飾品を提供することができる。
【００２０】
本発明の第５の態様は、連結部材の長さが、収納時にほぼ弛まない長さであることを特徴とする第１〜第４の態様の何れか１つに記載の装飾品にある。
【００２１】
ここで、「ほぼ弛まない長さ」とは弛まない長さだけでなく、弛みがあっても収納時に連結部材が他の部材に絡まることがない長さを含む概念である。
【００２２】
かかる第５の態様では、連結部材が他の部材と絡まることを防止することができるので、素早く収納（分解）でき、かつ容易に組み立てることができる。
することができる。
【００２３】
本発明の第６の態様は、連結部材がバネであることを特徴とする第１〜第４の態様の何れか１つに記載の装飾品にある。
【００２４】
かかる第６の態様では、バネを用いることにより、連結部材同士または連結部材と他の部材とが絡まりにくくなる。その結果、より容易に分解することができる装飾品を提供することができる。
【００２５】
本発明に係る第７の態様は、複数の装飾が取り付けられた装飾部を、その装飾が所定の間隔で配置されるように、バネに取り付けることを特徴とする第６の態様に記載の装飾品にある。
【００２６】
ここで、「装飾」とは、装飾品をさらに装飾するものであれば特に限定されず、例えば、ＬＥＤ、木の葉や雪に似せたもの等、星等のクリスマスツリー用の装飾具が挙げられる。
【００２７】
かかる第７の態様では、装飾が所定の間隔に配置されるように装飾部をバネに取り付けると、バネを縮ませたり、伸ばしたりしても、各装飾間の距離はほぼ同じなる。その結果、装飾部の取り付けが容易になると共に、装飾品の美観をさらに向上させることができる。
【図面の簡単な説明】
【００２８】
【図１】図１は実施形態１に係る装飾品の概略斜視図である。
【図２】図２（ａ）は分割前の棒状部材の概略斜視図であり、図２（ｂ）は分割時の棒状部材の概略斜視図である。
【図３】図３（ａ）は展開時の棒状部材の概略斜視図であり、図３（ｂ）は収納時の棒状部材の概略斜視図であり、（ｃ）は収納時の棒状部材の上面概略図である。
【図４】図４は（ａ）は展開時の棒状部材の概略斜視図であり、図４（ｂ）は折り畳み時の棒状部材の上面概略図である。
【図５】実施形態１に係る装飾品において、脚部と棒状部材以外の部材の収納時の概略上面図である。
【図６】図６は実施形態２に係る装飾品の概略斜視図である。
【図７】図７は環状部材の形状を示す概略上面図である。
【図８】図８は環状部材の形状を示す概略上面図である。
【発明を実施するための形態】
【００２９】
以下に添付図面を参照して、本発明に係る装飾品の実施形態を説明する。なお、本発明は、以下の実施形態に限定されるものではない。
（実施形態１）
【００３０】
図１は、本実施形態に係る装飾品の概略斜視図である。この図に示すように、装飾品１は、鉛直方向から見ると十字型の形状に見える脚部１０と、脚部１０上に鉛直方向に設置される棒状部材２０と、棒状部材２０を取り囲むように配置される円環状の３つの環状部材３０、４０、５０と、環状部材５０、環状部材４０、環状部材３０の順に、棒状部材２０の上方端部に固定された冶具１１と各環状部材３０、４０、５０とをそれぞれ連結する６つの連結部材６０ａ〜６０ｆとで構成されている。
【００３１】
そして、環状部材３０が、固定部３５によって棒状部材２０の下端部側に固定されることで、装飾品１は、装飾品１の側面側（Ｘ方向）から見ると、冶具１１から環状部材３０の外形が二等辺三角形状に見えるようになっている。すなわち、装飾品１は、外形が円錐状になっている。
【００３２】
脚部１０は、装飾品１を組み上げた際に、棒状部材２０を鉛直方向に固定することができるものであれば、材質は特に限定されず、例えばプラスチックや金属等で形成することができる。また、脚部１０の形状も装飾品１が倒壊しないようなものであれば、十字型に限らず、円盤型等であってもよい。
【００３３】
棒状部材２０は、装飾品１を組み上げた際に、上端部に取り付けられた冶具１１と連結部材６０ａ〜６０ｆとを介して、環状部材３０、４０、５０を吊り下げることができるものであれば、材質は特に限定されず、例えばプラスチックや金属等で形成することができる。棒状部材２０の形状も特に限定されないが、図２に示すように、棒状部材２０は、軸方向に複数の分割部材２１ａ〜２１ｃに分割できるように構成されていてもよいし、図３に示すように、棒状部材２０Ａは、３つの収納部材２１Ａ、２１Ｂ、２１Ｃで構成され、収納部材２１Ａ、２１Ｂを収納部材２１Ｃ内に収納できるようになっていてもよい。さらには、図４に示すように、棒状部材２０Ｂは、棒状部材２０Ｂを３つの折り畳み部材２１ａ’、２１ｂ’、２１ｃ’で構成され、折りたたむことができるようになっていてもよい。
【００３４】
このように棒状部材２０を長さ方向（軸方向）に分割したり、長さ方向に小さくしたり、折りたたむことができる場合には、装飾品１を収納する際に、棒状部材２０をコンパクトに収納することができる。このような機能を有する棒状部材２０、２０Ａ、２０Ｂは、既存の技術を用いて製造することができる。
【００３５】
なお、冶具１１は、中央部に形成された孔に棒状部材２０の上端部を嵌め込むことで棒状部材２０に固定されると共に、連結部材６０ａ〜６０ｆを取り付けることができるものであれば、材質・形状は特に限定されない。なお、冶具１１は、棒状部材２０に容易に脱着できるようになっており、装飾品１の組み立て時には棒状部材２０に固定され、装飾品１の収納時には棒状部材２０から取り外される。
【００３６】
環状部材３０は、外側の円環状の部分と、中央に位置し、棒状部材２０を挿入する孔が形成された中央から円環状の部分に向かって３方向に延びる固定部３５とで構成されている。環状部材３０の円環状部分は、材質は特に限定されず、例えばプラスチックや金属等で形成することができる。また、環状部材３０の断面形状も特に限定されない。さらに、環状部材３０の固定部３５も、棒状部材２０に環状部材３０を固定することができるものであれば、材質は特に限定されず、例えばプラスチックや金属等で形成することができる。また、その形状も特に限定されないし、環状部材３０を棒状部材２０に固定する機構も特に限定されず、既存の技術を用いることができる。
【００３７】
なお、環状部材３０は、固定部３５を介して棒状部材２０に容易に脱着できるようになっており、装飾品１の組み立て時には棒状部材２０に固定され、装飾品１の収納時には棒状部材２０から取り外される。したがって、環状部材３０は、棒状部材２０の任意の位置（上部、中央部、下端部等）に固定することができる。
【００３８】
環状部材４０、５０は、円環状のものであれば、材質は特に限定されず、例えばプラスチックや金属等で形成することができる。また、環状部材３０の断面形状も特に限定されない。なお、環状部材４０、５０は、環状部材３０と異なり、固定部を有していない。
【００３９】
連結部材６０ａ〜６０ｆは、バネ、ゴム（天然ゴム、合成ゴムを含む）等の弾力性を有し、装飾品１を組み上げた際に、環状部材３０、４０、５０を連結して、装飾品１の外形が三角錐状に保つことができるものであれば特に限定されない。連結部材６０ａ〜６０ｆが弾力性を有することにより、後述するように、装飾品１を収納する際に、脚部１０と棒状部材２０以外の装飾品１を構成する部材をコンパクトに収納することができる。また、装飾品１を組み上げた際には、連結部材６０ａ〜６０ｆは引き延ばされて張力が発生するため、６０ａ〜６０ｆが略直線状となる。その結果、装飾品１の外形が優れた美観の三角錐状となる。
【００４０】
また、連結部材６０ａ〜６０ｆは弾力性を有し、その長さを自由に調整することができるので、棒状部材２０に固定される環状部材３０の位置（例えば棒状部材２０の下端部や中央部等）を自由に設定することができる。その結果、装飾品１の外形（三角錐の形状）を自由に調整することができる。すなわち、装飾品１の外形を任意の三角錐状にすることができる。
【００４１】
さらに、連結部材６０ａ〜６０ｆとしてバネを用い、これらに、後述するような複数のＬＥＤ等が設けられた（取り付けられた）装飾部を、各ＬＥＤ等が所定の間隔に配置されるように取り付けると、バネを縮ませたり、伸ばしたりしても、各ＬＥＤ等の間の距離はほぼ同じになる。その結果、装飾部の取り付けが容易になると共に、装飾品１の美観を向上させることができる。
【００４２】
次に、装飾品１の収納時の形態について説明する。図５は、脚部１０と棒状部材２０とを取り外した後の装飾品１を構成する部材の収納時の上面概略図である。なお、この形態は、冶具１１から環状部材３０までを押しつぶしたような形状（円盤状）になっており、冶具１１から環状部材３０までの長さ（高さ）は、装飾品１を組み上げた時と比較して非常に短くなっている。したがって、この形状は、非常にコンパクトなものである。
【００４３】
この図に示すように、脚部１０と棒状部材２０とを取り外した後の装飾品１を構成する部材を上下方向に押しつぶすことで、連結部材６０ａ〜６０ｆがそれぞれ収縮して、環状部材３０、４０、５０を、冶具１１を中心に同軸円状に配置させることができる。
【００４４】
ここで、連結部材６０ａ〜６０ｆの長さは、収納時にほぼ弛まない長さであることが望ましい。連結部材６０ａ〜６０ｆの長さをこのようにすることで、連結部材が他の部材と絡まることを防止することができる。その結果、装飾品１を素早くかつコンパクトに収納することができる。
【００４５】
また、装飾品１を組み立てる際には、このような形態の構成部材を上下方向に引き延ばし、冶具１１と環状部材３０の固定部３５に棒状部材２０を挿入・固定し、脚部１０を取り付けるだけでよい。したがって、装飾品１を容易に組み立てることができる。
【００４６】
以上説明したように、本実施形態に係る装飾品１は、コンパクトに収納（分解）でき、かつ容易に組み立てることができる。
（実施形態２）
【００４７】
上述した実施形態１では、脚部を具備するように装飾品を構成したが、本発明はこれに限定されない。例えば、図６に示すように、脚部ではなく、棒状部材２０または冶具１１に、フックなどの吊下げ部１５を具備するように装飾品１Ａを構成してもよい。なお、その他の構成は、実施形態１に係る装飾品と同様である。
【００４８】
吊下げ部１５は、装飾品１Ａを構成する吊下げ部１５以外の構成部材を吊り下げることができるものであれば、材質・形状は特に限定されない。
【００４９】
このように装飾品１Ａを構成しても、実施形態１と同様に、コンパクトに収納（分解）でき、かつ容易に組み立てることができる。
（実施形態３）
【００５０】
上述した実施形態では、円環状の環状部材を用いたが、本発明はこれに限定されず、略環状のものであればよい。環状部材の形状は、例えば、図７（ａ）に示すような半円形であっても、図７（ｂ）に示すような四角形であっても、図７（ｃ）に示すような楕円形状であってもよい。このような形状の環状部材を用いても、上述した実施形態と同様の効果が得られる。
【００５１】
さらには、環状部材の形状は、例えば、図８（ａ）〜図８（ｃ）に示すような形状であってもよい。このような形状の環状部材を用いても、上述した実施形態と同様の効果が得られる。
（他の実施形態）
【００５２】
上述した実施形態では、環状部材や連結部材に何も設けなかったが、本発明はこれに限定されない。例えば、環状部材や連結部材に、複数のＬＥＤ（発光ダイオード）が設けられた装飾部をさらに取り付けてもよい。このような装飾部は、電源や制御部に接続され、所定のパターンでＬＥＤを点灯させることができる。その結果、装飾品の美観をより向上させることができる。装飾部としては、この他に木の葉や雪に似せたもの等、星等のクリスマスツリー用の装飾具が挙げられる。
【００５３】
また、上述した実施形態では、棒状部材の上端部に取り付けられた冶具を介して棒状部材に連結部材を取り付けるように装飾品を構成したが、冶具を介さず、棒状部材の上端部に連結部材を取り付けるようにしてもよい。このように装飾品を構成しても、上述した実施形態と同様の効果が得られる。
【００５４】
さらに、上述した実施形態では、棒状部材の上端部に冶具を取り付けるように装飾品を構成したが、冶具を取りつける位置は、棒状部材の上端部ではなくてもよいことは言うまでもない。
【００５５】
また、上述した実施形態では、１つの環状部材にのみ、固定部を有するように装飾品を構成したが本発明はこれに限定されない。２つの環状部材やすべての環状部材が固定部を有するように装飾品を構成してもよい。
【００５６】
さらに、上述した実施形態では、６つの連結部材を用いて装飾品を構成したが、連結部材は、少なくとも３つ以上あればよく、その上限数は特に限定されない。
【符号の説明】
【００５７】
１、１Ａ    装飾品
１０    脚部
１１    冶具
１５    吊下げ部
２０、２０Ａ、２０Ｂ    棒状部材
２１ａ、２１ｂ、２１ｃ    分割部材
２１Ａ、２１Ｂ、２１Ｃ    収納部材
２１ａ’、２１ｂ’、２１ｃ’    折り畳み部材
３０、４０、５０    環状部材
３５    固定部
６０ａ、６０ｂ、６０ｃ、６０ｄ、６０ｅ、６０ｆ    連結部材
【図１】
2020115935.tif 000003
【図２】
2020115935.tif 000004
【図３】
2020115935.tif 000005
【図４】
2020115935.tif 000006
【図５】
2020115935.tif 000007
【図６】
2020115935.tif 000008
【図７】
2020115935.tif 000009
【図８】
2020115935.tif 000010